(57)【特許請求の範囲】
【請求項１】
少なくとも１つのユーザ端末と無線通信可能に構成された基地局を備える基地局システムであって、
前記基地局と前記ユーザ端末との間の無線通信の品質に影響を及ぼすパラメータである通信品質パラメータを取得する通信品質パラメータ取得手段と、
前記取得された通信品質パラメータに基づいて、前記基地局と前記ユーザ端末との間の無線通信を制御する無線通信制御手段と、
前記基地局と前記ユーザ端末との間で無線通信を行うことにより当該基地局が消費する電力の量である消費電力量を取得する消費電力量取得手段と、
前記取得された消費電力量を表す消費電力量情報を前記ユーザ端末へ送信する消費電力量情報送信手段と、
を備え、
前記ユーザ端末のユーザにより入力されたユーザポリシー情報を受け付けるユーザポリシー情報受付手段を備え、
前記無線通信制御手段は、前記受け付けられたユーザポリシー情報に基づいて、前記基地局と前記ユーザ端末との間の無線通信を制御するように構成され、
前記基地局と前記ユーザ端末との間で無線通信を行うことにより当該基地局が消費する電力の、前記ユーザ端末の移動、又は、前記ユーザポリシー情報の変更によって削減された量である削減電力量を取得する削減電力量取得手段と、
前記取得された削減電力量に応じた評価ポイントをユーザ毎に算出する評価ポイント算出手段と、
を備える基地局システム。
【請求項２】
請求項１に記載の基地局システムであって、
前記無線通信制御手段は、前記取得された通信品質パラメータが、前記基地局と前記ユーザ端末との間の無線通信の品質が高くなる値に近づくほど、前記消費電力量を小さくするように当該無線通信を制御するように構成された基地局システム。
【請求項３】
請求項１又は請求項２に記載の基地局システムであって、
前記無線通信制御手段は、前記無線通信の制御として、当該無線通信にて用いられる、変調方式、送信電力、及び、通信チャネル、の少なくとも１つを決定するように構成された基地局システム。
【請求項４】
請求項１乃至請求項３のいずれかに記載の基地局システムであって、
前記基地局システムを管理する管理者により入力された管理ポリシー情報を受け付ける管理ポリシー情報受付手段を備え、
前記無線通信制御手段は、前記受け付けられた管理ポリシー情報にも基づいて、前記基地局と前記ユーザ端末との間の無線通信を制御するように構成された基地局システム。
【請求項５】
少なくとも１つのユーザ端末と無線通信可能に構成された基地局を備える基地局システムに適用され、
前記基地局と前記ユーザ端末との間の無線通信の品質に影響を及ぼすパラメータである通信品質パラメータを取得し、
前記取得された通信品質パラメータに基づいて、前記基地局と前記ユーザ端末との間の無線通信を制御し、
前記基地局と前記ユーザ端末との間で無線通信を行うことにより当該基地局が消費する電力の量である消費電力量を取得し、
前記取得された消費電力量を表す消費電力量情報を前記ユーザ端末へ送信し、
前記ユーザ端末のユーザにより入力されたユーザポリシー情報を受け付け、
前記受け付けられたユーザポリシー情報に基づいて、前記基地局と前記ユーザ端末との間の無線通信を制御し、
前記基地局と前記ユーザ端末との間で無線通信を行うことにより当該基地局が消費する電力の、前記ユーザ端末の移動、又は、前記ユーザポリシー情報の変更によって削減された量である削減電力量を取得し、
前記取得された削減電力量に応じた評価ポイントをユーザ毎に算出する、基地局システム制御方法。
【請求項６】
少なくとも１つのユーザ端末と無線通信可能に構成された基地局であって、
前記基地局と前記ユーザ端末との間の無線通信の品質に影響を及ぼすパラメータである通信品質パラメータを取得する通信品質パラメータ取得手段と、
前記取得された通信品質パラメータに基づいて、前記基地局と前記ユーザ端末との間の無線通信を制御する無線通信制御手段と、
前記基地局と前記ユーザ端末との間で無線通信を行うことにより当該基地局が消費する電力の量である消費電力量を取得する消費電力量取得手段と、
前記取得された消費電力量を表す消費電力量情報を前記ユーザ端末へ送信する消費電力量情報送信手段と、
を備え、
前記ユーザ端末のユーザにより入力されたユーザポリシー情報を受け付けるユーザポリシー情報受付手段を備え、
前記無線通信制御手段は、前記受け付けられたユーザポリシー情報に基づいて、前記基地局と前記ユーザ端末との間の無線通信を制御するように構成され、
前記基地局と前記ユーザ端末との間で無線通信を行うことにより当該基地局が消費する電力の、前記ユーザ端末の移動、又は、前記ユーザポリシー情報の変更によって削減された量である削減電力量を取得する削減電力量取得手段と、
前記取得された削減電力量に応じた評価ポイントをユーザ毎に算出する評価ポイント算出手段と、
を備える基地局。
【請求項７】
少なくとも１つのユーザ端末と無線通信可能に構成された基地局に適用され、
前記基地局と前記ユーザ端末との間の無線通信の品質に影響を及ぼすパラメータである通信品質パラメータを取得し、
前記取得された通信品質パラメータに基づいて、前記基地局と前記ユーザ端末との間の無線通信を制御し、
前記基地局と前記ユーザ端末との間で無線通信を行うことにより当該基地局が消費する電力の量である消費電力量を取得し、
前記取得された消費電力量を表す消費電力量情報を前記ユーザ端末へ送信し、
前記ユーザ端末のユーザにより入力されたユーザポリシー情報を受け付け、
前記受け付けられたユーザポリシー情報に基づいて、前記基地局と前記ユーザ端末との間の無線通信を制御し、
前記基地局と前記ユーザ端末との間で無線通信を行うことにより当該基地局が消費する電力の、前記ユーザ端末の移動、又は、前記ユーザポリシー情報の変更によって削減された量である削減電力量を取得し、
前記取得された削減電力量に応じた評価ポイントをユーザ毎に算出する、基地局制御方法。
【請求項８】
少なくとも１つのユーザ端末と無線通信可能に構成された基地局に、
前記基地局と前記ユーザ端末との間の無線通信の品質に影響を及ぼすパラメータである通信品質パラメータを取得し、
前記取得された通信品質パラメータに基づいて、前記基地局と前記ユーザ端末との間の無線通信を制御し、
前記基地局と前記ユーザ端末との間で無線通信を行うことにより当該基地局が消費する電力の量である消費電力量を取得し、
前記取得された消費電力量を表す消費電力量情報を前記ユーザ端末へ送信し、
前記ユーザ端末のユーザにより入力されたユーザポリシー情報を受け付け、
前記受け付けられたユーザポリシー情報に基づいて、前記基地局と前記ユーザ端末との間の無線通信を制御し、
前記基地局と前記ユーザ端末との間で無線通信を行うことにより当該基地局が消費する電力の、前記ユーザ端末の移動、又は、前記ユーザポリシー情報の変更によって削減された量である削減電力量を取得し、
前記取得された削減電力量に応じた評価ポイントをユーザ毎に算出する、処理を実行させるための基地局制御プログラム。
【請求項９】
少なくとも１つのユーザ端末と無線通信可能に構成された基地局を備える基地局システムであって、
前記基地局と前記ユーザ端末との間の無線通信の品質に影響を及ぼすパラメータである通信品質パラメータを取得する通信品質パラメータ取得手段と、
前記取得された通信品質パラメータに基づいて、前記基地局と前記ユーザ端末との間の無線通信を制御する無線通信制御手段と、
前記基地局と前記ユーザ端末との間で無線通信を行うことにより当該基地局が消費する電力の量である消費電力量を取得する消費電力量取得手段と、
前記取得された消費電力量を表す消費電力量情報を前記ユーザ端末へ送信する消費電力量情報送信手段と、
を備え、
前記基地局と前記ユーザ端末との間で無線通信を行うことにより当該基地局が消費する電力の、ユーザの省電力行動によって削減された量である削減電力量を取得する削減電力量取得手段と、
前記取得された削減電力量に応じた評価ポイントをユーザ毎に算出する評価ポイント算出手段と、
を備える基地局システム。
【請求項１０】
少なくとも１つのユーザ端末と無線通信可能に構成された基地局を備える基地局システムであって、
前記基地局と前記ユーザ端末との間で無線通信を行うことにより当該基地局が消費する電力の量である消費電力量を取得する消費電力量取得手段と、
前記取得された消費電力量を表す消費電力量情報を前記ユーザ端末へ送信する消費電力量情報送信手段と、
を備え、
前記基地局と前記ユーザ端末との間で無線通信を行うことにより当該基地局が消費する電力の、ユーザの省電力行動によって削減された量である削減電力量を取得する削減電力量取得手段と、
前記取得された削減電力量に応じた評価ポイントをユーザ毎に算出する評価ポイント算出手段と、
を備える基地局システム。
【発明の詳細な説明】
【技術分野】
【０００１】
本発明は、少なくとも１つのユーザ端末と無線通信可能に構成された基地局を備える基地局システムに関する。
【背景技術】
【０００２】
照明器具又は空調機器の使用は、ユーザの五感により直接に感じられる。従って、ユーザは、電力を消費していることを認識しやすい。このため、ユーザは、消費される電力の量（消費電力量）を削減するための行動を、比較的取りやすい。
【０００３】
一方、通信機器は、照明器具及び空調機器と同様に、電力を消費しているにもかかわらず、電力が消費されていることがユーザに認識されにくい。特に、通信機器によって消費されている電力の量は、ユーザにより認識されにくい。
【０００４】
また、無線通信においては、ユーザ端末を携帯するユーザの位置及び向きによって、無線信号の伝搬特性が変化するため、無線通信の品質も変化する。例えば、ユーザ端末と基地局との間にユーザが位置している場合、無線通信の品質が劣化することにより、無線信号におけるエラーが増加する。その結果、無線信号を再送するために、基地局が無線通信を行うことにより消費する電力の量も無駄に大きくなる。
【０００５】
ところで、基地局システムの一つとして、特許文献１に記載の基地局システムは、少なくとも１つのユーザ端末と無線通信可能に構成された基地局を備える。基地局は、ユーザ端末との間の無線通信の品質を表す通信品質情報を取得する。基地局は、取得された通信品質情報に基づいて送信電力を制御する。
【０００６】
この基地局システムによれば、基地局に十分に近い位置にユーザ端末が位置している場合、基地局は、比較的低い送信電力にて無線通信を行う。従って、無線通信を行うことによって基地局が消費している電力の量（消費電力量）を削減することができる。
【先行技術文献】
【特許文献】
【０００７】
【特許文献１】２００５−３９６５１号公報
【発明の概要】
【発明が解決しようとする課題】
【０００８】
しかしながら、上記基地局システムにおいては、ユーザ端末のユーザは、無線通信を行うことによって基地局が消費している電力の量（消費電力量）を認識することができない。従って、ユーザ端末の移動等のユーザの行動が、消費電力量に及ぼす影響を当該ユーザが認識することができない。
【０００９】
その結果、消費電力量を削減するための行動（例えば、ユーザ端末を基地局に近づける行動）を、ユーザが取りにくい。従って、上記基地局システムにおいては、ユーザが適切な行動を取ることにより容易に消費電力量を削減できる場合であっても、消費電力量が無駄に大きくなってしまうという問題があった。
【００１０】
このため、本発明の目的は、上述した課題である「消費電力量が無駄に大きくなってしまう場合が生じること」を解決することが可能な基地局システムを提供することにある。
【課題を解決するための手段】
【００１１】
かかる目的を達成するため本発明の一形態である基地局システムは、少なくとも１つのユーザ端末と無線通信可能に構成された基地局を備えるシステムである。
【００１２】
更に、この基地局システムは、
上記基地局と上記ユーザ端末との間の無線通信の品質に影響を及ぼすパラメータである通信品質パラメータを取得する通信品質パラメータ取得手段と、
上記取得された通信品質パラメータに基づいて、上記基地局と上記ユーザ端末との間の無線通信を制御する無線通信制御手段と、
上記基地局と上記ユーザ端末との間で無線通信を行うことにより当該基地局が消費する電力の量である消費電力量を取得する消費電力量取得手段と、
上記取得された消費電力量を表す消費電力量情報を上記ユーザ端末へ送信する消費電力量情報送信手段と、
を備える。
【００１３】
また、本発明の他の形態である基地局システム制御方法は、
少なくとも１つのユーザ端末と無線通信可能に構成された基地局を備える基地局システムに適用され、
上記基地局と上記ユーザ端末との間の無線通信の品質に影響を及ぼすパラメータである通信品質パラメータを取得し、
上記取得された通信品質パラメータに基づいて、上記基地局と上記ユーザ端末との間の無線通信を制御し、
上記基地局と上記ユーザ端末との間で無線通信を行うことにより当該基地局が消費する電力の量である消費電力量を取得し、
上記取得された消費電力量を表す消費電力量情報を上記ユーザ端末へ送信する方法である。
【００１４】
また、本発明の他の形態である基地局は、少なくとも１つのユーザ端末と無線通信可能に構成された基地局である。
【００１５】
更に、この基地局は、
上記基地局と上記ユーザ端末との間の無線通信の品質に影響を及ぼすパラメータである通信品質パラメータを取得する通信品質パラメータ取得手段と、
上記取得された通信品質パラメータに基づいて、上記基地局と上記ユーザ端末との間の無線通信を制御する無線通信制御手段と、
上記基地局と上記ユーザ端末との間で無線通信を行うことにより当該基地局が消費する電力の量である消費電力量を取得する消費電力量取得手段と、
上記取得された消費電力量を表す消費電力量情報を上記ユーザ端末へ送信する消費電力量情報送信手段と、
を備える。
【００１６】
また、本発明の他の形態である基地局制御方法は、
少なくとも１つのユーザ端末と無線通信可能に構成された基地局に適用され、
上記基地局と上記ユーザ端末との間の無線通信の品質に影響を及ぼすパラメータである通信品質パラメータを取得し、
上記取得された通信品質パラメータに基づいて、上記基地局と上記ユーザ端末との間の無線通信を制御し、
上記基地局と上記ユーザ端末との間で無線通信を行うことにより当該基地局が消費する電力の量である消費電力量を取得し、
上記取得された消費電力量を表す消費電力量情報を上記ユーザ端末へ送信する方法である。
【００１７】
また、本発明の他の形態である基地局制御プログラムは、
少なくとも１つのユーザ端末と無線通信可能に構成された基地局に、
上記基地局と上記ユーザ端末との間の無線通信の品質に影響を及ぼすパラメータである通信品質パラメータを取得し、
上記取得された通信品質パラメータに基づいて、上記基地局と上記ユーザ端末との間の無線通信を制御し、
上記基地局と上記ユーザ端末との間で無線通信を行うことにより当該基地局が消費する電力の量である消費電力量を取得し、
上記取得された消費電力量を表す消費電力量情報を上記ユーザ端末へ送信する、処理を実行させるためのプログラムである。
【発明の効果】
【００１８】
本発明は、以上のように構成されることにより、ユーザに消費電力量を認識させることにより、消費電力量を削減することができる。
【図面の簡単な説明】
【００１９】
【図１】本発明の第１実施形態に係る無線通信システムの概略構成を表す図である。
【図２】本発明の第１実施形態に係る基地局の構成を表すブロック図である。
【図３】本発明の第１実施形態に係るユーザ端末の機能を表すブロック図である。
【図４】本発明の第１実施形態に係る管理装置の機能を表すブロック図である。
【図５】本発明の第１実施形態に係る無線通信システムの作動の概略を表すシーケンス図である。
【図６】本発明の第１実施形態に係るユーザ端末の移動を示した説明図である。
【図７】通信品質パラメータに基づいて無線通信を制御しない比較例に係る無線通信システムの概略構成を表す図である。
【図８】本発明の第１実施形態の第２変形例に係る無線通信システムの概略構成を表す図である。
【図９】本発明の第１実施形態の第３変形例に係る無線通信システムの概略構成を表す図である。
【図１０】本発明の第２実施形態に係る基地局システムの構成を表すブロック図である。
【発明を実施するための形態】
【００２０】
以下、本発明に係る、基地局システム、基地局システム制御方法、基地局、基地局制御方法、及び、基地局制御プログラム、の各実施形態について図１〜図１０を参照しながら説明する。
【００２１】
＜第１実施形態＞
（構成）
図１に示したように、第１実施形態に係る無線通信システム１は、複数の基地局１０，…と、複数のユーザ端末２０，…と、管理装置３０と、を備える。なお、基地局１０と管理装置３０とは、基地局システムを構成する。
【００２２】
また、管理装置３０と、複数の基地局１０，…のそれぞれと、は、通信網（本例では、ＩＰ（Ｉｎｔｅｒｎｅｔ  Ｐｒｏｔｏｃｏｌ）網）ＮＷを介して通信可能に接続されている。
【００２３】
なお、無線通信システム１は、基地局を１つだけ備えていてもよい。また、無線通信システム１は、ユーザ端末２０を１つだけ備えていてもよい。
【００２４】
基地局１０は、ユーザ端末２０と無線通信可能に構成される。本例では、基地局１０とユーザ端末２０とは、無線ＬＡＮ（Ｌｏｃａｌ  Ａｒｅａ  Ｎｅｔｗｏｒｋ）（例えば、ＩＥＥＥ８０２．１１ａ、ＩＥＥＥ８０２．１１ｂ、ＩＥＥＥ８０２．１１ｇ、ＩＥＥＥ８０２．１１ｊ、又は、ＩＥＥＥ８０２．１１ｎ等）を構成する。
【００２５】
なお、基地局１０とユーザ端末２０とは、無線ＬＡＮ以外の通信網（例えば、移動体通信網、近距離無線通信網（例えば、Ｂｌｕｅｔｏｏｔｈ（登録商標）、及び、ＺｉｇＢｅｅ（登録商標）等）、ＷｉＭＡＸ、ＩＥＥＥ８０２．１１ａｈにより定められる通信網、ＩＥＥＥ１９００．６により定められる通信網等）を構成していてもよい。
【００２６】
例えば、ユーザ端末２０は、パーソナル・コンピュータ、携帯電話端末、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ、Ｐｅｒｓｏｎａｌ  Ｄｉｇｉｔａｌ  Ａｓｓｉｓｔａｎｔ）、スマートフォン、カーナビゲーション端末、又は、ゲーム端末等である。
【００２７】
管理装置３０は、情報処理装置（本例では、サーバ装置）である。管理装置３０は、図示しない中央処理装置（ＣＰＵ；Ｃｅｎｔｒａｌ  Ｐｒｏｃｅｓｓｉｎｇ  Ｕｎｉｔ）、記憶装置（メモリ及びハードディスク駆動装置（ＨＤＤ；Ｈａｒｄ  Ｄｉｓｋ  Ｄｒｉｖｅ））、入力装置（本例では、キーボード、及び、マウス）、及び、出力装置（本例では、ディスプレイ）を備える。
【００２８】
管理装置３０は、記憶装置に記憶されているプログラムをＣＰＵが実行することにより、後述する機能を実現するように構成されている。
【００２９】
ユーザ端末２０は、図示しないＣＰＵ、記憶装置（本例では、メモリ）、入力装置、及び、出力装置（本例では、タッチパネル式のディスプレイ、及び、ボタン）を備える。ユーザ端末２０は、記憶装置に記憶されているプログラムをＣＰＵが実行することにより、後述する機能を実現するように構成されている。
【００３０】
基地局１０は、図２に示したように、アンテナ１０１と、無線トランシーバ１０２と、ベースバンド処理部１０３と、データ処理部１０４と、無線通信制御部（無線通信制御手段）１０５と、通信品質パラメータ取得部（通信品質パラメータ取得手段）１０６と、ユーザポリシー情報受付部（ユーザポリシー情報受付手段）１０７と、管理ポリシー情報受付部（管理ポリシー情報受付手段）１０８と、消費電力量取得部（消費電力量取得手段）１１１と、消費電力量情報送信部（消費電力量情報送信手段）１１２と、削減電力量取得部（削減電力量取得手段）１１３と、削減電力量情報送信部１１４と、を備える。
【００３１】
また、ユーザ端末２０の機能は、図３に示したように、ユーザポリシー情報送信部２０１と、消費電力量情報受信部２０２と、消費電力量情報出力部２０３と、評価ポイント情報受信部２０４と、評価ポイント情報出力部２０５と、を含む。
【００３２】
また、管理装置３０の機能は、管理ポリシー情報送信部３０１と、削減電力量情報受信部３０２と、評価ポイント算出部（評価ポイント算出手段）３０３と、評価ポイント情報送信部（評価ポイント情報送信手段）３０４と、を含む。
【００３３】
アンテナ１０１は、無線信号としての電波（電磁波）を外部へ放射（送信）するとともに、外部から無線信号としての電波を受信するように構成されている。
【００３４】
無線トランシーバ１０２は、アンテナ１０１を介して受信された無線信号の振幅を調整し、調整された無線信号（アナログ信号）をベースバンド処理部１０３へ出力する。また、無線トランシーバ１０２は、無線通信制御部１０５により決定された送信電力に、アンテナ１０１から送信される無線信号の送信電力を一致させるように、ベースバンド処理部１０３により出力されたアナログ信号の振幅を調整し、調整されたアナログ信号を、アンテナ１０１を介して送信する。
【００３５】
ベースバンド処理部１０３は、データ処理部１０４により出力されたデジタル信号を、無線通信制御部１０５により決定された変調方式に従って、無線通信制御部１０５により決定された通信チャネルを有するアナログ信号に変調する。例えば、変調方式は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式、又は、ＣＣＫ（Ｃｏｍｐｌｅｍｅｎｔａｒｙ  Ｃｏｄｅ  Ｋｅｙｉｎｇ）方式等である。ベースバンド処理部１０３は、このアナログ信号を無線トランシーバ１０２へ出力する。
【００３６】
また、ベースバンド処理部１０３は、無線トランシーバ１０２により出力されたアナログ信号を、当該アナログ信号に応じた変調方式に従って、デジタル信号に復調する。ベースバンド処理部１０３は、このデジタル信号をデータ処理部１０４へ出力する。
【００３７】
データ処理部１０４は、他の通信装置（例えば、他のユーザ端末、又は、他の基地局等）から受信したデータに基づいてデジタル信号を生成し、生成されたデジタル信号をベースバンド処理部１０３へ出力する。また、データ処理部１０４は、ベースバンド処理部１０３により出力されたデジタル信号が表すデータを他の通信装置（例えば、他のユーザ端末、又は、他の基地局等）へ転送する。
【００３８】
通信品質パラメータ取得部１０６は、基地局１０とユーザ端末２０との間の無線通信の品質に影響を及ぼすパラメータである通信品質パラメータを取得する。本例では、通信品質パラメータは、ユーザ端末２０により送信された無線信号の強度（受信電波強度）である。通信品質パラメータが大きくなるほど、無線通信の品質は高くなる。
【００３９】
また、通信品質パラメータは、基地局１０とユーザ端末２０との間の距離であってもよい。この場合、通信品質パラメータが大きくなるほど、無線通信の品質は低くなる。また、この場合、基地局１０とユーザ端末２０との間の距離は、ユーザ端末２０により送信された無線信号の、強度、振幅の変動、又は、エラー率の変動に基づいて推定される。なお、基地局１０とユーザ端末２０との間の距離は、カメラによって撮影された画像に基づいて推定されてもよい。
【００４０】
ユーザポリシー情報受付部１０７は、後述するように、ユーザ端末２０により送信されたユーザポリシー情報を受信する（受け付ける）。即ち、ユーザポリシー情報受付部１０７は、ユーザがユーザ端末２０に対して入力したユーザポリシー情報を受け付ける。なお、ユーザポリシー情報受付部１０７は、ユーザが基地局１０に直接に入力した情報を受け付けるように構成されていてもよい。
【００４１】
ユーザポリシー情報は、無線通信の品質（例えば、ユーザ端末の種別に応じて設定される品質）の下限値（即ち、ユーザが要求する品質）、消費電力量の上限値、及び、電気料金の上限値の少なくとも１つを表す情報である。
【００４２】
ここで、無線通信の品質の下限値は、例えば、単位時間あたりに伝送されるデータ量の下限値、又は、データのエラー（誤り）率の上限値等である。また、消費電力量は、基地局１０とユーザ端末２０との間で無線通信を行うことにより基地局１０が消費する電力の量である。電気料金は、基地局１０とユーザ端末２０との間で無線通信を行うことにより基地局１０が消費する電力の料金である。
【００４３】
なお、ユーザポリシー情報は、時間、曜日、日、又は、月等に応じて異なる値を有するように設定されていてもよい。
【００４４】
ユーザポリシー情報受付部１０７は、受け付けられたユーザポリシー情報を、ユーザ毎に（即ち、当該ユーザポリシー情報を入力したユーザを特定するためのユーザ特定情報と対応付けて）記憶する。
【００４５】
なお、ユーザ特定情報は、ユーザを識別するためのユーザ識別情報（ユーザＩＤ）、又は、ユーザ識別情報と予め対応付けられた端末識別情報である。端末識別情報は、ユーザポリシー情報を送信してきたユーザ端末２０を識別するための情報（例えば、ＭＡＣ（Ｍｅｄｉｕｍ  Ａｃｃｅｓｓ  Ｃｏｎｔｒｏｌ）アドレス等）である。
【００４６】
また、ユーザポリシー情報受付部１０７は、受け付けられたユーザポリシー情報を管理装置３０へ送信する。
【００４７】
管理ポリシー情報受付部１０８は、後述するように、管理装置３０により送信された管理ポリシー情報を受信する（受け付ける）。即ち、管理ポリシー情報受付部１０８は、基地局システムを管理する管理者が管理装置３０に対して入力した管理ポリシー情報を受け付ける。
【００４８】
従って、管理者が基地局１０に直接に入力した管理ポリシー情報を受け付けるように管理ポリシー情報受付部１０８が構成されている場合と比較して、基地局システムが複数の基地局を備える場合における管理ポリシー情報の更新を容易に実行することができる。
【００４９】
また、基地局システムは、管理装置３０以外の記憶装置が管理ポリシー情報を記憶するように構成され、管理ポリシー情報受付部１０８が当該記憶装置に記憶されている管理ポリシー情報を取得する（読み出す）ように構成されていてもよい。
なお、管理ポリシー情報受付部１０８は、管理者が基地局１０に直接に入力した管理ポリシー情報を受け付けるように構成されていてもよい。
【００５０】
管理ポリシー情報は、無線通信の品質の下限値、接続可能端末数、消費電力量の上限値、及び、電気料金の上限値の少なくとも１つを表す情報である。ここで、接続可能端末数は、基地局１０と無線通信可能に接続されるユーザ端末２０，…の数の上限値である。
【００５１】
なお、消費電力量の上限値は、基地局システムが複数の基地局１０，…を備える場合において、すべての基地局１０，…の消費電力量の総量の上限値であってもよい。同様に、電気料金の上限値は、基地局システムが複数の基地局１０，…を備える場合において、すべての基地局１０，…の電気料金の総額の上限値であってもよい。
【００５２】
なお、管理ポリシー情報は、時間、曜日、日、又は、月等に応じて異なる値を有するように設定されていてもよい。
【００５３】
無線通信制御部１０５は、通信品質パラメータ取得部１０６により取得された通信品質パラメータと、ユーザポリシー情報受付部１０７により受け付けられたユーザポリシー情報と、管理ポリシー情報受付部１０８により受け付けられた管理ポリシー情報と、に基づいて、基地局１０とユーザ端末２０との間の無線通信を制御する。
【００５４】
このとき、無線通信制御部１０５は、上記無線通信に係るユーザ端末２０のユーザと対応付けられて記憶されているユーザポリシー情報、及び、管理ポリシー情報により定められた条件を満足する範囲において、無線通信を制御する。
【００５５】
即ち、無線通信制御部１０５は、ユーザポリシー情報、及び、管理ポリシー情報が表す無線通信の品質の下限値よりも無線通信の品質を高くするように無線通信を制御する。更に、無線通信制御部１０５は、ユーザポリシー情報、及び、管理ポリシー情報が表す消費電力量の上限値よりも消費電力量を少なくするように無線通信を制御する。加えて、無線通信制御部１０５は、ユーザポリシー情報、及び、管理ポリシー情報が表す電気料金の上限値よりも電気料金を安くするように無線通信を制御する。
【００５６】
従って、ユーザは、ユーザポリシー情報を変更することにより、無線通信を制御することができる。この結果、消費電力量を削減することができる。更に、管理者は、管理ポリシー情報を変更することにより、無線通信を制御することができる。この結果、消費電力量を削減することができる。
【００５７】
具体的には、無線通信制御部１０５は、通信品質パラメータ取得部１０６により取得された通信品質パラメータが、基地局１０とユーザ端末２０との間の無線通信の品質が高くなる値に近づく（本例では、通信品質パラメータが大きくなる）ほど、消費電力量を小さくするように上記無線通信を制御する。
【００５８】
例えば、無線通信制御部１０５は、無線通信の制御として、当該無線通信にて用いられる、変調方式、送信電力、及び、通信チャネル、を決定する。
【００５９】
ところで、単位時間あたりに伝送可能なデータ量が大きくなる変調方式ほど、消費電力量が大きくなることが多い。一方、無線通信の品質が高くなるほど、無線信号におけるエラーが少なくなるので、単位時間あたりに伝送可能なデータ量が比較的小さい変調方式を用いても、単位時間あたりに十分な量のデータを伝送することができる。
【００６０】
また、送信電力が大きくなるほど、消費電力量も大きくなる。一方、無線通信の品質が高くなるほど、比較的小さい送信電力を用いても、十分な品質にてデータを伝送することができる。
【００６１】
また、ある通信チャネルにおいて、無線信号におけるエラーが比較的多く発生している場合、他の通信チャネルを用いることにより、無線信号におけるエラーの発生を抑制することができる。無線信号におけるエラーの発生を抑制することにより、無線信号の再送を回避することができるので、消費電力量を削減できる。
【００６２】
本例では、無線通信制御部１０５は、基地局１０と無線通信可能に接続されたユーザ端末２０，…のそれぞれに対して取得された通信品質パラメータのすべてが、予め設定された第１の閾値よりも大きい場合、送信電力を、現時点の値よりも小さい値に決定する。
【００６３】
更に、無線通信制御部１０５は、基地局１０と無線通信可能に接続されたユーザ端末２０，…のそれぞれに対して取得された通信品質パラメータのすべてが、予め設定された第２の閾値よりも大きい場合、変調方式を、現時点の方式よりも、消費電力量がより小さい方式に決定する。例えば、現時点の変調方式がＯＦＤＭ方式である場合、無線通信制御部１０５は、変調方式を、ＯＦＤＭ方式よりも消費電力量が小さいＣＣＫ方式に決定する。
【００６４】
また、無線通信制御部１０５は、基地局１０と無線通信可能に接続されたユーザ端末２０，…のそれぞれに対して取得された通信品質パラメータのすべてが、予め設定された第３の閾値よりも小さい場合、通信チャネルを、現時点の通信チャネルと異なる通信チャネルに決定（変更）する。
【００６５】
なお、基地局１０が無線通信可能に接続されているユーザ端末２０，…のそれぞれに対して、無線通信を制御可能に構成されている場合、無線通信制御部１０５は、各ユーザ端末２０に対して取得された通信品質パラメータに基づいて、当該ユーザ端末２０に対する、変調方式、送信電力、及び、通信チャネル、を決定するように構成されていてもよい。
【００６６】
また、無線通信制御部１０５は、変調方式、送信電力、及び、通信チャネル、のいずれか１つ、又は、任意の２つの組み合わせを決定するように構成されていてもよい。
【００６７】
消費電力量取得部１１１は、基地局１０とユーザ端末２０との間で無線通信を行うことにより基地局１０が消費する電力の量である消費電力量を取得する。本例では、消費電力量取得部１１１は、電流計を有し、電流計により基地局１０に供給される電流を測定することにより消費電力量を取得する。なお、消費電力量取得部１１１は、電流計に代えて電圧計を備え、電圧計により基地局１０に供給される電圧を測定することにより消費電力量を取得するように構成されていてもよい。
【００６８】
また、消費電力量取得部１１１は、無線通信制御部１０５により決定された、変調方式、送信電力、及び、通信チャネル等に基づいて消費電力量を推定（算出）することにより消費電力量を取得するように構成されていてもよい。
【００６９】
消費電力量情報送信部１１２は、消費電力量取得部１１１により取得された消費電力量を表す消費電力量情報をユーザ端末２０へ送信する。本例では、消費電力量情報送信部１１２は、消費電力量取得部１１１により取得された消費電力量が変化する毎に、消費電力量情報をユーザ端末２０へ送信する。
【００７０】
なお、消費電力量情報送信部１１２は、予め設定された送信周期が経過する毎に、消費電力量情報をユーザ端末２０へ送信するように構成されていてもよい。
また、基地局１０は、消費電力量取得部１１１により取得された消費電力量をユーザ毎に記憶するように構成されていてもよい。
【００７１】
削減電力量取得部１１３は、基地局１０とユーザ端末２０との間で無線通信を行うことにより基地局１０が消費する電力の、ユーザによる省電力行動（例えば、ユーザ端末２０の移動、又は、ユーザポリシー情報の変更）によって削減された量である削減電力量を取得する。
【００７２】
具体的には、削減電力量取得部１１３は、ユーザが省電力行動を取った場合、消費電力量取得部１１１により取得された消費電力量に基づいて、行動前消費電力量と、行動後消費電力量と、を取得する。行動前消費電力量は、ユーザが省電力行動を取らなかったと仮定した場合における消費電力量である。行動後消費電力量は、ユーザが省電力行動を取った場合における（即ち、実際の）消費電力量である。
【００７３】
削減電力量取得部１１３は、行動前消費電力量から行動後消費電力量を減じた値を削減電力量として取得する。
なお、削減電力量取得部１１３は、通信品質パラメータ取得部１０６により取得される通信品質パラメータが変化した場合、ユーザ端末２０が移動したと判定する。また、削減電力量取得部１１３は、ユーザポリシー情報受付部１０７によりユーザポリシー情報が新たに受け付けられた場合、ユーザポリシー情報が変更されたと判定する。
【００７４】
削減電力量情報送信部１１４は、削減電力量取得部１１３により取得された削減電力量を表す削減電力量情報を管理装置３０へ送信する。
【００７５】
ユーザポリシー情報送信部２０１は、ユーザにより入力されたユーザポリシー情報を受け付ける。ユーザポリシー情報送信部２０１は、ユーザポリシー情報を受け付ける毎に、受け付けられたユーザポリシー情報を、ユーザ端末２０と無線通信可能に接続されている基地局１０へ送信する。
【００７６】
消費電力量情報受信部２０２は、基地局１０により送信された消費電力量情報を受信する。
消費電力量情報出力部２０３は、消費電力量情報受信部２０２により受信された消費電力量情報が表す消費電力量を、当該消費電力量情報を送信してきた基地局１０を特定するための情報と対応付けて出力する（本例では、ディスプレイに表示する）。
【００７７】
なお、消費電力量情報出力部２０３は、消費電力量と対応付けられたＬＥＤ（Ｌｉｇｈｔ  Ｅｍｉｔｔｉｎｇ  Ｄｉｏｄｅ）を発光させるように構成されていてもよい。また、消費電力量情報出力部２０３は、消費電力量を音声にて出力するように構成されていてもよい。
【００７８】
管理ポリシー情報送信部３０１は、管理者により入力された管理ポリシー情報を受け付ける。管理ポリシー情報送信部３０１は、管理ポリシー情報を受け付ける毎に、受け付けられた管理ポリシー情報を、基地局１０，…のそれぞれへ送信する。
【００７９】
削減電力量情報受信部３０２は、基地局１０から削減電力量情報を受信する。削減電力量情報受信部３０２は、受信された削減電力量情報をユーザ毎に記憶する。
【００８０】
評価ポイント算出部３０３は、記憶されている削減電力量情報に基づいて、削減電力量情報が表す削減電力量に応じた評価ポイントをユーザ毎に算出する。例えば、評価ポイントは、ユーザに還元される金額を表す。評価ポイントは、削減電力量が大きくなるほど大きくなる値を有する。
【００８１】
なお、評価ポイントは、電気料金の割引金額、給与、休暇、又は、基地局システムの利用料金の割引金額等を表していてもよい。
【００８２】
なお、評価ポイント算出部３０３は、削減電力量情報に加えて、ユーザポリシー情報及び管理ポリシー情報にも基づいて評価ポイントを算出するように構成されていてもよい。
また、評価ポイント算出部３０３は、削減電力量の大きさに応じた評価ポイントを算出するように構成されていたが、０よりも大きい削減電力量が取得された回数（即ち、ユーザが省電力行動を取った回数）に応じた評価ポイントを算出するように構成されていてもよい。
【００８３】
評価ポイント情報送信部３０４は、評価ポイント算出部３０３により算出された評価ポイントを表す評価ポイント情報を、基地局１０を介してユーザ端末２０へ送信する。
【００８４】
評価ポイント情報受信部２０４は、管理装置３０により送信された評価ポイント情報を受信する。
評価ポイント情報出力部２０５は、評価ポイント情報受信部２０４により受信された評価ポイント情報が表す評価ポイントを出力する（本例では、ディスプレイに表示する）。
【００８５】
（作動）
次に、上述した無線通信システム１の作動について図５に示したシーケンス図を参照しながら説明する。
先ず、ユーザ端末２０のユーザは、ユーザ端末２０にユーザポリシー情報を入力する。これにより、ユーザ端末２０は、入力されたユーザポリシー情報を受け付け、受け付けたユーザポリシー情報を基地局１０へ送信する（ステップＳ１０１）。
【００８６】
基地局１０は、ユーザポリシー情報を受信し、受信したユーザポリシー情報を受け付け、受け付けたユーザポリシー情報をユーザ毎に記憶する。更に、基地局１０は、このユーザポリシー情報を管理装置３０へ転送する。管理装置３０は、ユーザポリシー情報を受信し、受信したユーザポリシー情報をユーザ毎に記憶する。
【００８７】
一方、管理装置３０のユーザ（管理者）は、管理装置３０に管理ポリシー情報を入力する。これにより、管理装置３０は、入力された管理ポリシー情報を受け付け、受け付けた管理ポリシー情報を記憶する。更に、管理装置３０は、この管理ポリシー情報を基地局１０へ送信する（ステップＳ１０２）。基地局１０は、管理ポリシー情報を受信し、受信した管理ポリシー情報を受け付け、受け付けられた管理ポリシー情報を記憶する。
【００８８】
その後、基地局１０は、基地局１０とユーザ端末２０との間で無線通信を行うことにより消費される電力の量（消費電力量）を取得する。そして、基地局１０は、取得された消費電力量を表す消費電力量情報をユーザ端末２０へ送信する（ステップＳ１０３）。
【００８９】
ユーザ端末２０は、消費電力量情報を受信し、受信した消費電力量情報が表す消費電力量を出力する（ステップＳ１０４）。これにより、ユーザは、消費電力量を認識する。その結果、ユーザは、ユーザ端末２０を、基地局１０に近づけるように移動させる（ステップＳ１０５）。この結果、ユーザ端末２０と基地局１０との間の無線通信の品質が高められる。
【００９０】
例えば、図６に示したように、ユーザ端末２０が基地局１０よりも比較的遠く（本例では、領域Ｒ１の外縁近傍）に位置している場合、ユーザは、ユーザ端末２０を、基地局１０との間の距離が比較的短い領域Ｒ２内に移動させる。これにより、ユーザ端末２０と基地局１０との間の無線通信の品質が高められる。
【００９１】
そして、基地局１０は、取得される通信品質パラメータが第１の閾値よりも大きくなると、送信電力を、現時点の値よりも小さい値に決定することにより無線通信を制御する（ステップＳ１０６）。即ち、基地局１０は、無線通信の品質の変化に伴って、当該無線通信を制御する。これにより、消費電力量を削減することができる。
【００９２】
なお、基地局１０とユーザ端末２０との間の距離が十分に短くされているので、送信電力が低下しても、無線通信の品質が十分に高い状態を維持することができる。
【００９３】
その後、基地局１０は、消費電力量を取得し、取得された消費電力量を表す消費電力量情報をユーザ端末２０へ送信する（ステップＳ１０７）。ユーザ端末２０は、消費電力量情報を受信し、受信した消費電力量情報が表す消費電力量を出力する（ステップＳ１０８）。
【００９４】
これにより、ユーザは、省電力行動を取ったこと（即ち、ユーザ端末２０の移動）によって、消費電力量が削減されたことを認識する。
【００９５】
更に、基地局１０は、削減電力量を取得し、取得された削減電力量を表す削減電力量情報を管理装置３０へ送信する（ステップＳ１０９）。管理装置３０は、削減電力量情報を受信し、受信した削減電力量情報をユーザ毎に記憶する。
【００９６】
その後、管理装置３０は、記憶されている削減電力量情報に基づいて評価ポイントをユーザ毎に算出し、算出された評価ポイントを表す評価ポイント情報を、基地局１０を介してユーザ端末２０へ送信する（ステップＳ１１０）。
【００９７】
これにより、ユーザ端末２０は、評価ポイント情報を受信し、受信した評価ポイント情報が表す評価ポイントを出力する（ステップＳ１１１）。これにより、ユーザは、削減電力量に応じた評価ポイントを認識する。この結果、消費電力量を削減するための行動を取ることをユーザに促進することができる。
【００９８】
以上、説明したように、本発明の第１実施形態に係る基地局システムによれば、ユーザ端末２０のユーザに消費電力量を認識させることができる。従って、ユーザが、ユーザ端末２０を移動させることにより、ユーザ端末２０と基地局システムとの間の無線通信の品質を高めることを促進することができる。更に、基地局システムは、上記無線通信の品質の変化に伴って、当該無線通信を制御する。その結果、上記無線通信を行うことにより消費される電力の量である消費電力量を削減することができる。即ち、上記基地局システムによれば、ユーザに消費電力量を認識させることにより、消費電力量を削減することができる。
【００９９】
次に、第１実施形態の第１変形例に係る無線通信システム１について説明する。第１変形例に係る基地局１０は、住宅内に配置される。
ところで、通信品質パラメータに基づいて無線通信を制御しない比較例に係る基地局を用いる場合、住宅内の任意の位置に位置するユーザ端末との間で無線通信を可能とするように、送信電力を十分に大きい値に設定しておく必要がある。
【０１００】
一方、第１変形例に係る基地局１０を用いる場合、ユーザ端末２０，…のすべてが基地局１０の十分近くに位置しているとき、基地局１０は、送信電力を比較的小さい値に設定する。これにより、基地局１０と無線通信可能となる領域は、比較的狭くなる。一方、消費電力量を削減することができる。
【０１０１】
更に、第１変形例に係る基地局１０は、消費電力量をユーザに通知する。これにより、ユーザ端末２０のユーザは、消費電力量を削減するために容易にユーザ端末２０を移動させることができる。
【０１０２】
加えて、第１変形例に係る基地局１０は、削減電力量に応じた評価ポイントをユーザに通知する。これにより、消費電力量を削減するための行動を継続的に取ることをユーザに促進することができる。
【０１０３】
本例では、管理ポリシー情報は、電力を住宅に供給する電力会社によって設定される。これにより、例えば、昼間の、電力の消費量が比較的多い時には、基地局１０が消費する電力の量が比較的多くなることを禁止するように、管理ポリシー情報を設定することができる。一方、夜間の、電力の消費量が比較的少ない時には、基地局１０が消費する電力の量が比較的多くなることを許容するように、管理ポリシー情報を設定することができる。
【０１０４】
本例では、行動前消費電力量は、住宅内の任意の位置に位置するユーザ端末との間で無線通信を可能とするように、送信電力を十分に大きい値に設定した場合における消費電力量である。行動後消費電力量は、実際の消費電力量である。また、評価ポイントは、電気料金の割引金額を表す。
【０１０５】
この第１変形例に係る基地局システムによっても、第１実施形態に係る基地局システムと同様の作用及び効果を奏することができる。
【０１０６】
次に、第１実施形態の第２変形例に係る無線通信システム１について説明する。第２変形例に係る無線通信システム１は、４つの基地局１０Ａ，１０Ｂ，１０Ｃ，１０Ｄと、４つのユーザ端末２０Ａ，２０Ｂ，２０Ｃ，２０Ｄと、を備える。４つの基地局１０Ａ，１０Ｂ，１０Ｃ，１０Ｄは、オフィスＯＦ内に配置される。
【０１０７】
更に、第２変形例に係る基地局１０Ａ，１０Ｂ，１０Ｃ，１０Ｄのそれぞれは、無線通信可能なユーザ端末が存在しない場合、送信電力を０に設定する。
【０１０８】
ところで、通信品質パラメータに基づいて無線通信を制御しない比較例に係る基地局を用いる場合、図７に示したように、オフィス内の任意の位置に位置するユーザ端末との間で無線通信を可能とするように、送信電力を十分に大きい値に設定しておく必要がある。ここで、破線により囲まれる円形の領域は、当該円の中央に配置された基地局と無線通信可能な領域を表す。
【０１０９】
一方、第２変形例に係る基地局１０Ａ，１０Ｂ，１０Ｃ，１０Ｄを用いる場合、図８に示したように、無線通信可能なユーザ端末のすべてが自局（自装置）の十分近くに位置しているとき、基地局１０Ａ，１０Ｂ，１０Ｃ，１０Ｄは、送信電力を比較的小さい値に設定する。更に、基地局１０Ａ，１０Ｂ，１０Ｃ，１０Ｄは、無線通信可能なユーザ端末が存在しない場合、送信電力を０に設定する。
【０１１０】
従って、図８に示した例においては、基地局１０Ａ，１０Ｃのそれぞれは、送信電力を比較的小さい値に設定している。更に、基地局１０Ｂ，１０Ｄのそれぞれは、送信電力を０に設定している。このようにして、基地局１０Ａ，１０Ｂ，１０Ｃ，１０Ｄと無線通信可能となる領域は、比較的狭くなる。一方、消費電力量を十分に削減することができる。
【０１１１】
更に、基地局１０Ａ，１０Ｂ，１０Ｃ，１０Ｄは、消費電力量をユーザに通知する。これにより、ユーザ端末２０Ａ，２０Ｂ，２０Ｃ，２０Ｄのユーザは、消費電力量を削減するために容易にユーザ端末２０Ａ，２０Ｂ，２０Ｃ，２０Ｄを移動させることができる。また、送信電力が０に設定された基地局１０Ａ，１０Ｂ，１０Ｃ，１０Ｄからは、消費電力量が通知されないため、無線通信可能な基地局１０Ａ，１０Ｂ，１０Ｃ，１０Ｄがいずれであるかをユーザに認識させることもできる。
【０１１２】
加えて、基地局１０Ａ，１０Ｂ，１０Ｃ，１０Ｄは、削減電力量に応じた評価ポイントをユーザに通知する。これにより、消費電力量を削減するための行動を継続的に取ることをユーザに促進することができる。
【０１１３】
本例では、行動前消費電力量は、オフィスＯＦ内の任意の位置に位置するユーザ端末との間で無線通信を可能とするように、各基地局１０Ａ，１０Ｂ，１０Ｃ，１０Ｄの送信電力を十分に大きい値に設定した場合における消費電力量である。行動後消費電力量は、実際の消費電力量である。また、評価ポイントは、給与、又は、休暇を表す。例えば、評価ポイントは、削減電力量に相当する電気料金に、予め設定された係数（例えば、０．１）を乗じた金額に設定されてもよい。
【０１１４】
本例では、管理ポリシー情報は、オフィスＯＦを管理する会社又は事業者等によって設定される。これにより、例えば、早朝、深夜、昼休み、及び、残業時間帯等の、ユーザの利用が比較的少ない可能性が高い時間帯において、基地局１０Ａ，１０Ｂ，１０Ｃ，１０Ｄが消費する電力の量が比較的多くなることを禁止するように、管理ポリシー情報を設定することができる。
【０１１５】
この第２変形例に係る基地局システムによっても、第１実施形態に係る基地局システムと同様の作用及び効果を奏することができる。
【０１１６】
次に、第１実施形態の第３変形例に係る無線通信システム１について説明する。第３変形例に係る無線通信システム１は、図９に示したように、３つの基地局１０Ａ，１０Ｂ，１０Ｃと、４つのユーザ端末２０Ａ，２０Ｂ，２０Ｃ，２０Ｄと、を備える。
【０１１７】
基地局１０Ａは、多層階の建築物（ビル）における１階のオフィスＯＦ１内に配置される。基地局１０Ｂは、多層階のビルにおける２階のオフィスＯＦ２内に配置される。基地局１０Ｃは、多層階のビルにおける３階のオフィスＯＦ３内に配置される。
【０１１８】
更に、第３変形例に係る基地局１０Ａ，１０Ｂ，１０Ｃのそれぞれは、無線通信可能なユーザ端末が存在しない場合、送信電力を０に設定する。
【０１１９】
第３変形例においては、図９に示したように、無線通信可能なユーザ端末のすべてが自局（自装置）の十分近くに位置しているとき、基地局１０Ａ，１０Ｂ，１０Ｃは、送信電力を比較的小さい値に設定する。更に、基地局１０Ａ，１０Ｂ，１０Ｃは、無線通信可能なユーザ端末が存在しない場合、送信電力を０に設定する。
【０１２０】
従って、図９に示した例においては、基地局１０Ａ，１０Ｃのそれぞれは、送信電力を比較的小さい値に設定している。更に、基地局１０Ｂは、送信電力を０に設定している。このようにして、基地局１０Ａ，１０Ｂ，１０Ｃと無線通信可能となる領域は、比較的狭くなる。一方、消費電力量を十分に削減することができる。更に、同一の通信チャネルを共有することによる干渉の発生も抑制することができる。従って、無線通信の品質をより一層向上させることもできる。
【０１２１】
本例では、行動前消費電力量は、ビル内の任意の位置に位置するユーザ端末との間で無線通信を可能とするように、各基地局１０Ａ，１０Ｂ，１０Ｃの送信電力を十分に大きい値に設定した場合における消費電力量である。行動後消費電力量は、実際の消費電力量である。また、評価ポイントは、ビルを利用するための料金の割引金額を表す。
【０１２２】
この第３変形例に係る基地局システムによっても、第１実施形態に係る基地局システムと同様の作用及び効果を奏することができる。
【０１２３】
＜第２実施形態＞
次に、本発明の第２実施形態に係る基地局システムについて図１０を参照しながら説明する。
第２実施形態に係る基地局システム５００は、少なくとも１つのユーザ端末と無線通信可能に構成された基地局を備えるシステムである。
【０１２４】
更に、この基地局システム５００は、
上記基地局と上記ユーザ端末との間の無線通信の品質に影響を及ぼすパラメータである通信品質パラメータを取得する通信品質パラメータ取得部（通信品質パラメータ取得手段）５０１と、
上記取得された通信品質パラメータに基づいて、上記基地局と上記ユーザ端末との間の無線通信を制御する無線通信制御部（無線通信制御手段）５０２と、
上記基地局と上記ユーザ端末との間で無線通信を行うことにより当該基地局が消費する電力の量である消費電力量を取得する消費電力量取得部（消費電力量取得手段）５０３と、
上記取得された消費電力量を表す消費電力量情報を上記ユーザ端末へ送信する消費電力量情報送信部（消費電力量情報送信手段）５０４と、
を備える。
【０１２５】
これによれば、ユーザ端末のユーザに消費電力量を認識させることができる。従って、ユーザが、ユーザ端末を移動させることにより、ユーザ端末と基地局システム５００との間の無線通信の品質を高めることを促進することができる。更に、基地局システム５００は、上記無線通信の品質の変化に伴って、当該無線通信を制御する。その結果、上記無線通信を行うことにより消費される電力の量である消費電力量を削減することができる。即ち、上記基地局システム５００によれば、ユーザに消費電力量を認識させることにより、消費電力量を削減することができる。
【０１２６】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【０１２７】
例えば、第１実施形態に係る無線通信システム１は、基地局１０が削減電力量を取得するように構成されていたが、管理装置３０が削減電力量を取得するように構成されていてもよい。
【０１２８】
なお、第１実施形態において、ユーザ端末２０、及び、管理装置３０の各機能は、ＣＰＵがプログラム（ソフトウェア）を実行することにより実現されていたが、回路等のハードウェアにより実現されていてもよい。
【０１２９】
また、第１実施形態において基地局１０の各機能は、回路等のハードウェアにより実現されていた。ところで、基地局１０は、処理装置と、プログラム（ソフトウェア）を記憶する記憶装置と、を備えるとともに、処理装置がそのプログラムを実行することにより、各機能を実現するように構成されていてもよい。
【０１３０】
なお、プログラムは、コンピュータが読み取り可能な記録媒体に記憶されていてもよい。例えば、記録媒体は、フレキシブルディスク、光ディスク、光磁気ディスク、及び、半導体メモリ等の可搬性を有する媒体である。
【０１３１】
また、上記実施形態の他の変形例として、上述した実施形態及び変形例の任意の組み合わせが採用されてもよい。
【０１３２】
＜付記＞
上記実施形態の一部又は全部は、以下の付記のように記載され得るが、以下には限られない。
【０１３３】
（付記１）
少なくとも１つのユーザ端末と無線通信可能に構成された基地局を備える基地局システムであって、
前記基地局と前記ユーザ端末との間の無線通信の品質に影響を及ぼすパラメータである通信品質パラメータを取得する通信品質パラメータ取得手段と、
前記取得された通信品質パラメータに基づいて、前記基地局と前記ユーザ端末との間の無線通信を制御する無線通信制御手段と、
前記基地局と前記ユーザ端末との間で無線通信を行うことにより当該基地局が消費する電力の量である消費電力量を取得する消費電力量取得手段と、
前記取得された消費電力量を表す消費電力量情報を前記ユーザ端末へ送信する消費電力量情報送信手段と、
を備える基地局システム。
【０１３４】
これによれば、ユーザ端末のユーザに消費電力量を認識させることができる。従って、ユーザが、ユーザ端末を移動させることにより、ユーザ端末と基地局システムとの間の無線通信の品質を高めることを促進することができる。更に、基地局システムは、上記無線通信の品質の変化に伴って、当該無線通信を制御する。その結果、上記無線通信を行うことにより消費される電力の量である消費電力量を削減することができる。即ち、上記基地局システムによれば、ユーザに消費電力量を認識させることにより、消費電力量を削減することができる。
【０１３５】
（付記２）
付記１に記載の基地局システムであって、
前記無線通信制御手段は、前記取得された通信品質パラメータが、前記基地局と前記ユーザ端末との間の無線通信の品質が高くなる値に近づくほど、前記消費電力量を小さくするように当該無線通信を制御するように構成された基地局システム。
【０１３６】
（付記３）
付記１又は付記２に記載の基地局システムであって、
前記無線通信制御手段は、前記無線通信の制御として、当該無線通信にて用いられる、変調方式、送信電力、及び、通信チャネル、の少なくとも１つを決定するように構成された基地局システム。
【０１３７】
ところで、単位時間あたりに伝送可能なデータ量が大きくなる変調方式ほど、消費電力量が大きくなることが多い。一方、無線通信の品質が高くなるほど、無線信号におけるエラーが少なくなるので、単位時間あたりに伝送可能なデータ量が比較的小さい変調方式を用いても、単位時間あたりに十分な量のデータを伝送することができる。
【０１３８】
また、送信電力が大きくなるほど、消費電力量も大きくなる。一方、無線通信の品質が高くなるほど、比較的小さい送信電力を用いても、十分な品質にてデータを伝送することができる。
【０１３９】
また、ある通信チャネルにおいて、無線信号におけるエラーが比較的多く発生している場合、他の通信チャネルを用いることにより、無線信号におけるエラーの発生を抑制することができる。無線信号におけるエラーの発生を抑制することにより、無線信号の再送を回避することができるので、消費電力量を削減できる。
【０１４０】
以上により、上記のように基地局システムを構成することが好適である。
【０１４１】
（付記４）
付記１乃至付記３のいずれかに記載の基地局システムであって、
前記ユーザ端末のユーザにより入力されたユーザポリシー情報を受け付けるユーザポリシー情報受付手段を備え、
前記無線通信制御手段は、前記受け付けられたユーザポリシー情報にも基づいて、前記基地局と前記ユーザ端末との間の無線通信を制御するように構成された基地局システム。
【０１４２】
これによれば、ユーザは、ユーザポリシー情報を入力することにより、無線通信を制御することができる。この結果、消費電力量を削減することができる。
【０１４３】
（付記５）
付記１乃至付記４のいずれかに記載の基地局システムであって、
前記基地局システムを管理する管理者により入力された管理ポリシー情報を受け付ける管理ポリシー情報受付手段を備え、
前記無線通信制御手段は、前記受け付けられた管理ポリシー情報にも基づいて、前記基地局と前記ユーザ端末との間の無線通信を制御するように構成された基地局システム。
【０１４４】
これによれば、管理者は、管理ポリシー情報を入力することにより、無線通信を制御することができる。この結果、消費電力量を削減することができる。
【０１４５】
（付記６）
付記１乃至付記５のいずれかに記載の基地局システムであって、
前記基地局と前記ユーザ端末との間で無線通信を行うことにより当該基地局が消費する電力の、前記ユーザ端末の移動、又は、前記ユーザポリシー情報の変更によって削減された量である削減電力量を取得する削減電力量取得手段と、
前記取得された削減電力量に応じた評価ポイントをユーザ毎に算出する評価ポイント算出手段と、
を備える基地局システム。
【０１４６】
これによれば、削減電力量に応じた評価ポイントをユーザに通知することができる。この結果、消費電力量を削減するための行動を取ることをユーザに促進することができる。
【０１４７】
（付記７）
付記６に記載の基地局システムであって、
前記算出された評価ポイントを表す評価ポイント情報を前記ユーザ端末へ送信する評価ポイント情報送信手段を備える基地局システム。
【０１４８】
（付記８）
少なくとも１つのユーザ端末と無線通信可能に構成された基地局を備える基地局システムに適用され、
前記基地局と前記ユーザ端末との間の無線通信の品質に影響を及ぼすパラメータである通信品質パラメータを取得し、
前記取得された通信品質パラメータに基づいて、前記基地局と前記ユーザ端末との間の無線通信を制御し、
前記基地局と前記ユーザ端末との間で無線通信を行うことにより当該基地局が消費する電力の量である消費電力量を取得し、
前記取得された消費電力量を表す消費電力量情報を前記ユーザ端末へ送信する、基地局システム制御方法。
【０１４９】
（付記９）
付記８に記載の基地局システム制御方法であって、
前記取得された通信品質パラメータが、前記基地局と前記ユーザ端末との間の無線通信の品質が高くなる値に近づくほど、前記消費電力量を小さくするように当該無線通信を制御するように構成された基地局システム制御方法。
【０１５０】
（付記１０）
少なくとも１つのユーザ端末と無線通信可能に構成された基地局であって、
前記基地局と前記ユーザ端末との間の無線通信の品質に影響を及ぼすパラメータである通信品質パラメータを取得する通信品質パラメータ取得手段と、
前記取得された通信品質パラメータに基づいて、前記基地局と前記ユーザ端末との間の無線通信を制御する無線通信制御手段と、
前記基地局と前記ユーザ端末との間で無線通信を行うことにより当該基地局が消費する電力の量である消費電力量を取得する消費電力量取得手段と、
前記取得された消費電力量を表す消費電力量情報を前記ユーザ端末へ送信する消費電力量情報送信手段と、
を備える基地局。
【０１５１】
（付記１１）
付記１０に記載の基地局であって、
前記無線通信制御手段は、前記取得された通信品質パラメータが、前記基地局と前記ユーザ端末との間の無線通信の品質が高くなる値に近づくほど、前記消費電力量を小さくするように当該無線通信を制御するように構成された基地局。
【０１５２】
（付記１２）
少なくとも１つのユーザ端末と無線通信可能に構成された基地局に適用され、
前記基地局と前記ユーザ端末との間の無線通信の品質に影響を及ぼすパラメータである通信品質パラメータを取得し、
前記取得された通信品質パラメータに基づいて、前記基地局と前記ユーザ端末との間の無線通信を制御し、
前記基地局と前記ユーザ端末との間で無線通信を行うことにより当該基地局が消費する電力の量である消費電力量を取得し、
前記取得された消費電力量を表す消費電力量情報を前記ユーザ端末へ送信する、基地局制御方法。
【０１５３】
（付記１３）
付記１２に記載の基地局制御方法であって、
前記取得された通信品質パラメータが、前記基地局と前記ユーザ端末との間の無線通信の品質が高くなる値に近づくほど、前記消費電力量を小さくするように当該無線通信を制御するように構成された基地局制御方法。
【０１５４】
（付記１４）
少なくとも１つのユーザ端末と無線通信可能に構成された基地局に、
前記基地局と前記ユーザ端末との間の無線通信の品質に影響を及ぼすパラメータである通信品質パラメータを取得し、
前記取得された通信品質パラメータに基づいて、前記基地局と前記ユーザ端末との間の無線通信を制御し、
前記基地局と前記ユーザ端末との間で無線通信を行うことにより当該基地局が消費する電力の量である消費電力量を取得し、
前記取得された消費電力量を表す消費電力量情報を前記ユーザ端末へ送信する、処理を実行させるための基地局制御プログラム。
【０１５５】
（付記１５）
付記１４に記載の基地局制御プログラムであって、
前記処理は、
前記取得された通信品質パラメータが、前記基地局と前記ユーザ端末との間の無線通信の品質が高くなる値に近づくほど、前記消費電力量を小さくするように当該無線通信を制御するように構成された基地局制御プログラム。
【産業上の利用可能性】
【０１５６】
本発明は、少なくとも１つのユーザ端末と無線通信可能に構成された基地局を備える基地局システム等に適用可能である。
【符号の説明】
【０１５７】
１      無線通信システム
１０    基地局
１０１  アンテナ
１０２  無線トランシーバ
１０３  ベースバンド処理部
１０４  データ処理部
１０５  無線通信制御部
１０６  通信品質パラメータ取得部
１０７  ユーザポリシー情報受付部
１０８  管理ポリシー情報受付部
１０Ａ，１０Ｂ，１０Ｃ，１０Ｄ  基地局
１１１  消費電力量取得部
１１２  消費電力量情報送信部
１１３  削減電力量取得部
１１４  削減電力量情報送信部
２０    ユーザ端末
２０１  ユーザポリシー情報送信部
２０２  消費電力量情報受信部
２０３  消費電力量情報出力部
２０４  評価ポイント情報受信部
２０５  評価ポイント情報出力部
２０Ａ，２０Ｂ，２０Ｃ，２０Ｄ  ユーザ端末
３０    管理装置
３０１  管理ポリシー情報送信部
３０２  削減電力量情報受信部
３０３  評価ポイント算出部
３０４  評価ポイント情報送信部
５００  基地局システム
５０１  通信品質パラメータ取得部
５０２  無線通信制御部
５０３  消費電力量取得部
５０４  消費電力量情報送信部
【図１】
0005822298.tif 000002
【図２】
0005822298.tif 000003
【図３】
0005822298.tif 000004
【図４】
0005822298.tif 000005
【図５】
0005822298.tif 000006
【図６】
0005822298.tif 000007
【図７】
0005822298.tif 000008
【図８】
0005822298.tif 000009
【図９】
0005822298.tif 000010
【図１０】
0005822298.tif 000011